(57)【要約】【課題】田畑に蒔いた種子が烏などの啄ばみから保護せられ、あるいは、激しい降雨や潅水による露出を防止するマルチシートに関して、環境にやさしい素材からなるものを提供する。【解決手段】通常、マルチシートはプラスチックフィルムまたは腐蝕布からなるものが使用されているが、使用後の処置が問題である。本考案においては、素材に天然の綿からなる綿糸に天然糊を付着せしめて製織し、幅２０ｃｍから５０ｃｍまでの綿織物として、通常の菜園の畝を２枚の綿布で被覆できるようにした。これによって、畝の幅に合わせるための裁断作業が無くなり被覆作業が容易になった。また、天然の素材であることから、使用後に田畑に放置し、あるいは地中に埋め込んでおくと自然に分解して土に還元し、または、焼却しても公害になる噴煙を発生しない、いわゆる自然にやさしいマルチ布シートとなった。【選択図】  図２
0003127207.tif 000002
【実用新案登録請求の範囲】
【請求項１】
よこ糸と天然糊を塗布したたて糸に天然繊維である綿を使用した幅２０ｃｍから５０ｃｍまでの綿織物であって、使用後に自然分解することを特徴とするマルチ布シート。
【請求項２】
綿を素材とした１０番手から４０番手までの単糸またはその撚糸をたて糸およびよこ糸として製織した目付２０〜３００ｇ／ｍ２の綿織物であることを特徴とする請求項１記載のマルチ布シート。
【請求項３】
綿糸または綿糸からなる綿織物に防虫剤を塗布または含浸させたことを特徴とする請求項１または請求項2記載の綿織物からなるマルチ布シート。
【請求項４】
綿糸または綿糸からなる綿織物に肥料を含浸させたことを特徴とする請求項１または請求項２記載マルチ布シート。
【請求項５】
樹木の幹部に巻き付け被覆することを特徴とする請求項３記載のマルチ布シート。
【考案の詳細な説明】
【技術分野】
【０００１】
本考案は、綿織物からなる使い勝手の良いマルチ布シート、すなわち、農作物、花き等の生育地面を被覆し、または樹幹を被覆するシートに関するものである。
【背景技術】
【０００２】
マルチシートは、農作物、花き等を栽培するときに播種部を覆い、発芽後はその根元部分を除いてその周辺を覆って敷設され、雑草の発生ないし成長を防ぎ、あるいは保温、保湿を図ると共に降雨による土壌の跳ね返りを防ぎ、よって、栽培物あるいはその果実の良好な育成と清潔性を保持するものである。
【０００３】
このような目的を有するマルチシートとしては種々のものがある。例えば、一般的なマルチシートとしては、黒色のポリエチレンまたは塩化ビニルからなるフィルムが用いられていた。このような黒色プラスチックフィルムのマルチシートは、雑草の繁殖防止効果が高く土壌の保温効果もあり、ある種のプラスチックにはいくらかの透湿性があり、土壌からの水分やガスの放出を阻害せず、作物の生育を良好にできるものと考えられているが、使用後該シートの投棄ないし焼却処理に公害問題を発生するなどの欠点があった。
【０００４】
また、高密度に接合されたポリエステル繊維等からなる不織布のマルチ布シートも知られている。この種のマルチ布シートは、白色を呈しており、使用時に上面で太陽光線を反射することで、果実の色付きや糖度、食味を向上させる効果もあるとされている。しかし、耐候性に劣ることが問題であるとされ、さらには前記同様にその投棄、焼却に問題があった。
【特許文献１】特開２００２−１１９１５１号公報
【特許文献２】特開２００４−２１５５３４号公報
【０００５】
上記のマルチシートは主として専業農家において大量に使用されているもので、使用後の廃棄も農協などにおいて組織的になされるので問題は少ないかもしれないが地球環境の視点からは依然として課題が残ることには変りが無い。まして、小規模農園ないし家庭菜園においてプラスチックフィルムからなるマルチシートが使用済みになったとき、一般家庭ごみとして出すことは憚られ、その処理には困惑するのが通例である。
【考案の開示】
【考案が解決しようとする課題】
【０００６】
小規模農家ないし家庭菜園を対象として、簡易に使用できるマルチ布シートを提供するもので、使用場所例えば畝の大きさに応じた幅、長さのシートが提供され、容易に布設されて降雨、潅水に対して土壌の撥ね返りが無く、透湿性、保温性があり、使用済み後はそのまま放置しても土壌に還り、あるいは焼却しても何らの公害にならないマルチ布シートを課題とした。
【課題を解決するための手段】
【０００７】
前記の課題を解決するために本願請求項１の考案は自然分解する綿と天然素材からなる糊を加工素材としてその横幅を２０ｃｍから５０ｃｍまで、望ましくは３０ｃｍから４０ｃｍまでのマルチ布シートに織り上げたことを特徴とする。
【０００８】
請求項２の考案は自然分解する綿を素材とした１０番手から２０番手までの単糸または撚糸をたて糸およびよこ糸として織り上げた厚めマルチ布シート、あるいは３０番手から４０番手からなる薄めマルチ布シートに織り上げたことを特徴とする。
【０００９】
請求項３の考案は綿糸に、または綿糸からなる綿織物に防虫剤を塗布または含浸させたことを特徴とするマルチ布シートとした。
【００１０】
また、請求項４の考案は、綿糸にまたは綿糸からなる綿織物に肥料を含浸させたことを特徴とするマルチ布シートとした。
【００１１】
請求項５のマルチ布シートは、越冬のために樹木の基幹に巻きつけられる藁や樹皮の代わりに使用するものである。
【考案の効果】
【００１２】
綿素材は良好な保湿性と通気性を有し、したがって綿糸からなる本考案のマルチ布シートは通気、通水性があり、降雨、潅水を土壌に取り込むと共に繊維自体も吸水して土壌の乾燥を防ぎ、土地の活性化に寄与する。また、マルチ布シートの横幅を２０ｃｍから５０ｃｍまで、望ましくは３０ｃｍから４０ｃｍまでとして該マルチシートを長手方向に裁断することなく通例の畝を１枚ないしその倍数で被覆できるものとして、シートの被覆作業に能率向上を図った。
【００１３】
防虫剤を塗布または含浸させた綿糸を用いて製織したマルチ布シート、もしくはマルチ布シートに製織した後に防虫剤を塗布または含浸させることにより、これを土壌表面に布設することによって農作物、花き等の害虫を防除し、あるいは樹木の幹に巻きつけることによって風害と同時に害虫の寄生を防ぐ効果を有する。
【００１４】
肥料を含浸させた綿糸を用いて織り上げたマルチ布シート、もしくはマルチ布シートに製織した後に肥料を含浸させることにより、降雨、露、潅水などと共に肥料がこれを被覆した植物に供給されることになり、農作物、花き等の生育に寄与する。
【００１５】
本案マルチ布シートは天然素材としての綿と、その綿に天然の糊を用いて製織したもので、したがって生分解性であり、土壌被覆として使用後は放置しても土に返り、また、焼却しても公害となる毒性噴煙を発生することはない。
【考案を実施するための最良の形態】
【００１６】
図面は本考案に係るマルチ布シートの実施例を示したもので、図１はプランタの中央稜線に播種してその上にマルチ布シートを被覆した状態を示した斜視図、図２は発芽時点で被覆したマルチ布シートを側方に引いて該マルチ布シートの側縁をほぼ発芽の根元に移動し、今１枚のマルチ布シートを発芽部根元から他方側の土壌に被覆した状態を示したもの、図３は発芽物の根元のみを刃物で円形にくり抜いた使用方法を示した斜視図である。
【００１７】
本考案のマルチ布シートは、綿１００％の単糸または撚糸からなり、その綿織物は綿糸の太さ及び平織りの目の粗さにより薄めタイプと厚めタイプとした。すなわち、薄めタイプは主として３０番手、４０番手の綿糸を使用して製織した綿織物、厚めタイプとは綿糸が１０番手、１６番手、２０番手を使用して製織した綿布であり、その粗さは任意に形成できる。その布の長さは標準的には薄めタイプ、厚めタイプ共にその横幅を２０ｃｍから５０ｃｍまで望ましくは３０ｃｍから４０ｃｍまでとし、長さを５ｍ・１０ｍ・１５ｍ・２０ｍとした。なお、その目付は２０〜３００ｇ／ｍ２である。
【００１８】
このように、比較的横幅の狭いマルチ布シートに形成したことにより、畝への被覆作業が１人で行なうことが可能になり、小規模農家に重宝されることになる。
【実施例１】
【００１９】
土壌Ｅにおいて小高く形成された畝の稜線（図ではプランタＰ内の中央）に種子を蒔いて、本考案に係るマルチ布シートを１枚被覆したのが図１である。このマルチ布シートを被覆することによって種子はカラスや鳩などに食い荒らされることが無くなることは勿論、春先などにおいて地温の急激な冷却、乾燥を防ぎ、雨や潅水による種子の露出が防止される。綿織物の布シートであることから、保湿性がよく、特に目付２００〜３００ｇ／ｍ２のマルチ布シートを被覆した種子の発芽および成長が早く感じられた（この点については追跡調査中である）。
【００２０】
上記で播種した種子が芽を出すとその部分のマルチ布シート１が若干盛り上がるのが目視できる。この段階で前記マルチ布シート１の一方の縁辺１ａが畝の中央部、すなわち発芽の根元まで側方にずらし、今１枚のマルチ布シート１を該畝の他方側半分に被覆２し、その２枚のマルチ布シートの突合せ縁辺１ａ、１ｂを適宜間隔（発芽部分を除く）に保って糸やステープルなどで縫合する。また、1枚で使用する場合には、発芽部分に相当する区域を例えば円形Ｃに切り取ること（図３）により生育を助長することになる。
【００２１】
上記により、発芽植物は成長し、果実を実らせることになる。この場合、防虫剤を塗布または含浸させたマルチ布シートにおいては該植物、果実に害虫がつき難く、良好な収穫物を得ることができる。防虫剤は市販のものが使用できる。
【００２２】
また、一般的な窒素、燐酸、カリ肥料などの水溶液に綿糸を浸漬して該液を含浸させ、または織物になったシートを同様の含浸処理をして乾燥せしめたマルチ布シートを、大根の種子を蒔いた土壌に被覆したところ、肥料含浸していないマルチ布シート被覆の種子よりも発芽後の生育が早く、かつ、勢いがあった。しかし、この場合も降雨、潅水によって肥料は滴下し、その有効な期間は長くはなかった。
【００２３】
綿織物の製織には化学合成糊等を使用するのが通例であるが、本考案に係るマルチ布シートの製織には天然の糊（例えば、とうもろこしから生成した糊）を使用する。このために、該マルチ布シートが使用済みになった後、その土地に放置され、土に帰ったとき、使用していた糊も自然に帰り、何ら耕地の害にはならないのである。
【実施例２】
【００２４】
３０番手の綿糸を使用して織り上げた薄めタイプのマルチ布シートを大根の播種地に被覆した。この薄めタイプのシートにおいては降雨が該シート表面を伝って畝の谷間に多く流れ出し、畝の土壌に浸透する水量は少ない。しかし、雑草の生育は非常によく制限されることとなった。
【００２５】
これに対して、大豆を播種した畝に１０番手の綿糸で厚めに製織したマルチ布シートを被覆した実施例においては、潅水、雨水の浸透がよく、シート自体の保水も良好であった。更に雑草の発芽抑制効果が十分ではなかったので、該厚めシートを二枚重ねで被覆したところ、潅水等の通水が若干制限されるが、保水性が良く、雑草の生育をもよく制限された。しかし発芽がシートの織目を通過することは無いので、前記のようにシートを片方にずらし、他のシートを追加するか、若しくは発芽の周りを刃物でくり抜くかをする必要がある。
【産業上の利用可能性】
【００２６】
本案マルチ布シートは播種した地面を被覆して、その種子を烏などの啄ばみを防止し、あるいは降雨、潅水によって種子が露出しないように保護する目的を有するもので、大小の農園に使用されうることは勿論である。しかし、使用済み後の処理に問題のある塩化ビニルなどのプラスチックフィルムの使用を躊躇される主として小規模農地、あるいは家庭菜園を対象とするものであり、種子は各種野菜から果物などその種類を問うものではない。
【図面の簡単な説明】
【００２７】
【図１】プランタの中央稜線に播種してその上にマルチ布シートを被覆した状態を示した斜視図である。
【図２】発芽時点で被覆したマルチ布シートを側方に引き、反対側に今１枚のマルチ布シートを被覆した状態を示す斜視図である。
【図３】発芽時点で被覆したマルチ布シートの該当箇所を円形にくり抜いた状態を示す斜視図である。
【符号の説明】
【００２８】
１    マルチ布シート
１ａ  一方の縁辺
１ｂ  他方側の縁辺
２  被覆
Ｃ  切除部
Ｅ  土壌
Ｓ  種子
Ｐ  プランタ
Ｔ  植物
【図１】
0003127207.tif 000003
【図２】
0003127207.tif 000004
【図３】
0003127207.tif 000005
【手続補正書】
【提出日】平成18年9月27日(2006.9.27)
【手続補正１】
【補正対象書類名】実用新案登録請求の範囲
【補正対象項目名】請求項１
【補正方法】変更
【補正の内容】
【請求項１】
天然繊維である綿糸をよこ糸にし、天然糊を塗布した綿糸または天然糊を塗布していない撚糸をたて糸として製織した幅２０ｃｍから５０ｃｍまでの綿織物であって、使用後に自然分解することを特徴とするマルチ布シート。
【手続補正２】
【補正対象書類名】実用新案登録請求の範囲
【補正対象項目名】請求項２
【補正方法】変更
【補正の内容】
【請求項２】
綿を素材とした１０番手から４０番手までの単糸またはその撚糸をたて糸およびよこ糸として製織した綿織物であることを特徴とする請求項１記載のマルチ布シート。
【手続補正３】
【補正対象書類名】明細書
【補正対象項目名】０００７
【補正方法】変更
【補正の内容】
【０００７】
前記の課題を解決するために本願請求項１の考案は天然繊維である綿糸をよこ糸にし、天然糊を塗布した綿糸または天然糊を塗布しない撚糸をたて糸として製織した横幅２０ｃｍから５０ｃｍまで、望ましくは３０ｃｍから４０ｃｍまでの綿織物であって、使用後に自然分解することを特徴とするマルチ布シートとした。
【手続補正４】
【補正対象書類名】明細書
【補正対象項目名】００１５
【補正方法】変更
【補正の内容】
【００１５】
本案マルチ布シートは天然素材からなる綿糸であり、したがって、生分解性物質で、土壌被覆として使用後は放置しても土に返り、また、焼却しても公害となる毒性噴煙を発生することはない。